(57)【要約】      （修正有）【課題】制御ボタンによって、真空ポンプを始動し、さらに、気道及び吸盤の内部空洞の空気を真空ポンプ排気孔から排気させ、吸盤内の真空度を向上させることができ、使用が便利になる吸盤付きタブレットコンピュータを提供する。【解決手段】ハウジング１００を備え、ハウシングの正面に表示スクリーン及びボタンが設置される。ハウシングの裏面に四つの吸盤２００が接着設置され、ハウシングの裏面に一つの気孔が設置され、吸盤の両端に開口が設置され、一つの吸盤の一端の開口が気孔に連接され、ハウシング内に気孔に連通された気道１１０が設置され、気道に真空ポンプ１２０が連接され、ハウシングの側面に真空ポンプを制御するための制御ボタン１３０が設置され、ハウシングの側面に真空ポンプ排気孔１０２が設置され、各吸盤の間に各吸盤を連通させるための連接管３００が連接される。【選択図】図１
0003196762.tif 000002
【実用新案登録請求の範囲】
【請求項１】
ハウシングを備え、前記ハウシングの正面に表示スクリーン及びボタンが設置される吸盤付きタブレットコンピュータであって、
前記ハウシングの裏面に四つの吸盤が接着設置され、前記ハウシングの裏面に一つの気孔が設置され、前記吸盤の両端に開口が設置され、一つの前記吸盤の一端の開口が前記気孔に連接され、前記ハウシング内に前記気孔に連通された気道が設置され、前記気道に真空ポンプが連接され、前記ハウシングの側面に前記真空ポンプを制御するための制御ボタンが設置され、前記ハウシングの側面に真空ポンプ排気孔が設置され、各前記吸盤の間に各吸盤を連通させるための連接管が設置される、
ことを特徴とする吸盤付きタブレットコンピュータ。
【請求項２】
前記ハウシングの側面に、前記真空ポンプの回転速度を調節するための調節つまみがさらに設置される、
ことを特徴とする請求項１に記載の吸盤付きタブレットコンピュータ。
【請求項３】
一つの前記吸盤の側面に、圧力抜き孔が設置され、前記圧力抜き孔に、圧力抜きゴム栓が連接される、
ことを特徴とする請求項１または２に記載の吸盤付きタブレットコンピュータ。
【請求項４】
前記吸盤がシリコーンゴム吸盤である、
ことを特徴とする請求項３に記載の吸盤付きタブレットコンピュータ。
【考案の詳細な説明】
【技術分野】
【０００１】
本考案は、タブレットコンピュータ（tablet computer）の技術分野に関し、特に、吸盤付きタブレットコンピュータに関する。
【背景技術】
【０００２】
従来のタブレットコンピュータは、滑らかな表面に便利に置くことができなく、使用するに不便であった。
【考案の概要】
【考案が解決しようとする課題】
【０００３】
本考案は、上記の従来技術の欠陥を克服し、滑らかな表面に便利に置くことができ、使用が便利になるタブレットコンピュータを提供することを目的とする。
【課題を解決するための手段】
【０００４】
本考案は、ハウシングを備え、前記ハウシングの正面に表示スクリーン及びボタンが設置される吸盤付きタブレットコンピュータであって、前記ハウシングの裏面に四つの吸盤が接着設置され、前記ハウシングの裏面に一つの気孔が設置され、前記吸盤の両端に開口が設置され、一つの前記吸盤の一端の開口が前記気孔に連接され、前記ハウシング内に前記気孔に連通された気道が設置され、前記気道に真空ポンプが連接され、前記ハウシングの側面に前記真空ポンプを制御するための制御ボタンが設置され、前記ハウシングの側面に真空ポンプ排気孔が設置され、各前記吸盤の間に各吸盤を連通させるための連接管が連接される吸盤付きタブレットコンピュータである。
【０００５】
具体的には、前記ハウシングの側面に、前記真空ポンプの回転速度を調節するための調節つまみがさらに設置される。
【０００６】
具体的には、前記吸盤の側面に、圧力抜き孔が設置され、前記圧力抜き孔に、圧力抜きゴム栓が連接される。
【０００７】
具体的には、前記吸盤がシリコーンゴム吸盤である。
【考案の効果】
【０００８】
本考案による吸盤付きタブレットコンピュータは、吸盤及び前記吸盤の内部空胴を真空排気するための真空ポンプを設置することにより、制御ボタンによって、真空ポンプを始動し、さらに、気道及び吸盤の内部空胴の空気を真空ポンプ排気孔から排気させ、吸盤内の真空度を向上させ、それによって、平らか且つ滑らかな表面、例えば、ガラス表面、自動車内などに、タブレットコンピュータを確実に密着することができ、余計なホルダーを設置する必要がなく、使用が便利になり、且つ、各吸盤の間に、各吸盤を連通させるための連接管が連接され、各吸盤が同一の真空ポンプによって真空排気され、使用が便利になる。
【図面の簡単な説明】
【０００９】
【図１】図１は、本考案の実施形態による吸盤付きタブレットコンピュータの平面概略図である。
【図２】図２は、本考案の実施形態による吸盤付きタブレットコンピュータの平面概略図である。
【考案を実施するための形態】
【００１０】
本考案の目的、技術手段及び利点を更に明瞭にするために、以下、図面及び実施形態を参照しながら、本考案について一層詳細に説明する。しかし、ここで説明される特定の実施形態は、本考案を釈明するためのものにすぎなく、本考案を限定しないものであると認められる。
【００１１】
図１及び図２に示すように、本考案の実施形態による吸盤付きタブレットコンピュータは、ハウシング１００を備える。前記ハウシング１００の正面には、表示スクリーン及びボタンが設置される。ハウシング１００は、プラスチック製のハウシング１００であってもよく、内部に電池が設置され、この電池がリチウム電池または燃料電池であってもよい。前記ハウシング１００の裏面には、アレイに配列された四つの吸盤２００が接着設置され、これらの四つの吸盤２００が両行両列の配列を呈する。吸盤２００が弾性のプラスチック材料からなってもよい。前記ハウシング１００の裏面には、一つの気孔１０１が設置される。前記吸盤２００の両端には、開口が設置され、一つの前記吸盤２００の一端の開口が前記気孔１０１に連接される。前記ハウシング１００内には、前記気孔１０１に連通された気道１１０が設置される。気道１１０が吸盤２００の内部空胴（吸着空胴）に連通されてもよい。前記気道１１０には、真空ポンプ１２０が連接される。前記ハウシング１００の側面には、前記真空ポンプ１２０を制御するための制御ボタン１３０が設置される。前記ハウシング１００の側面には、真空ポンプ排気孔１０２が設置される。真空ポンプ排気孔１０２がハウシング１００内のＣＰＵ側に位置してもよく、放熱効果を向上させる。平らか且つ滑らかな表面に吸盤２００を置く場合、制御ボタン１３０によって、真空ポンプ１２０を始動し、さらに、気道１１０及び吸盤２００の内部空胴の空気を真空ポンプ排気孔１０２から排気させ、吸盤２００内の真空度を向上させ、それによって、平らか且つ滑らかな表面、例えば、ガラス表面、自動車内などに、タブレットコンピュータを確実に密着し、余計なホルダーを設置する必要がなく、使用が便利になる。且つ、各吸盤２００の間には、各吸盤２００を連通させるための連接管３００が連接され、隣接する吸盤２００の間の連接管３００が各吸盤２００の内部空胴を連通させる。各吸盤２００は、同一の真空ポンプ１２０によって真空排気され、使用が便利になる。
【００１２】
具体的には、前記ハウシング１００の側面には、前記真空ポンプ１２０の回転速度を調節するための調節つまみ１４０がさらに設置され、真空ポンプ１２０の動作状態を調節することが便利になる。
【００１３】
具体的には、前記吸盤２００の側面には、圧力抜き孔が設置される。前記圧力抜き孔には、圧力抜きゴム栓２１０が連接される。タブレットコンピュータを固定する必要がない場合、圧力抜きゴム栓２１０を抜き、吸盤２００の内部空胴の圧力を外界と同じように復元させ、タブレットコンピュータを容易に取り外すことができる。圧力抜きゴム栓２１０が連接ひも２２０を介して吸盤２００と連接され、圧力抜きゴム栓２１０を失うことを避ける。
【００１４】
具体的には、前記吸盤２００がシリコーンゴム（silicone rubber）吸盤であってもよい。
【００１５】
本考案による吸盤２００付きタブレットコンピュータは、吸盤２００及び前記吸盤２００の内部空胴を真空排気するための真空ポンプ１２０を設置することにより、制御ボタン１３０によって、真空ポンプ１２０を始動し、さらに、気道１１０及び吸盤２００の内部空胴の空気を真空ポンプ排気孔１０２から排気させ、吸盤２００内の真空度を向上させ、それによって、平らか且つ滑らかな表面、例えば、ガラス表面、自動車内などに、タブレットコンピュータを確実に密着し、余計なホルダーを設置する必要がなく、使用が便利になる。
【００１６】
以上は、本考案の好適な実施形態にすぎなく、本考案を限定しないものであるが、本考案の要旨を逸脱しない範囲内に加えられる種々の変更、交替及び改良などは、請求の範囲に記載された範疇に属すべきである。
【図１】
0003196762.tif 000003
【図２】
0003196762.tif 000004